(57)【要約】      （修正有）【課題】マスターカードにより生成されて配下カードに配信されるフレームナンバーの連続性を維持する信号処理装置を提供する。【解決手段】信号処理装置は、基準周期単位に番号をカウントし、当該番号を含むタイミング信号を基準周期単位に配信するマスターカード１２１−１，１２１−２と、マスターカードから配信されるタイミング信号を受信し、タイミング信号の番号に従って所定の信号処理を実施する複数の配下カードと、マスターカードから配信されるタイミング信号を受信し、前記マスターカードからのタイミング信号の配信が停止すると、当該停止時の番号から連続する番号を自走によりカウントし、マスターカードにアップロードするアップロード部とを備え、マスターカードは、タイミング信号の配信停止後、アップロード部からアップロードされる番号と連続する番号のカウントを再開し、当該カウントされる番号を含むタイミング信号の配信を再開する。【選択図】図２
2011014983.tif 000002
【特許請求の範囲】
【請求項１】
基準周期単位に番号をカウントし、当該番号を含むタイミング信号を基準周期単位に配信するマスターカードと、
前記マスターカードから配信されるタイミング信号を受信し、前記タイミング信号の番号に従って所定の信号処理を実施する複数の配下カードと、
前記マスターカードから配信されるタイミング信号を受信し、受信されたタイミング信号の番号と同一の番号をカウントし、前記マスターカードからのタイミング信号の配信が停止すると、当該停止時の番号から連続する番号を自走によりカウントし、当該番号を含むタイミング信号を基準周期単位に前記マスターカードにアップロードするアップロード部とを備え、
前記マスターカードは、前記タイミング信号の配信停止後、前記アップロード部からアップロードされる番号と連続する番号のカウントを再開し、当該カウントされる番号を含む前記タイミング信号の配信を再開することを特徴とする信号処理装置。
【請求項２】
請求項１において、
前記マスターカードによる番号のカウントの再開後、前記アップロード部は、前記マスターカードから配信されるタイミング信号を受信すると、前記マスターカードへのタイミング信号のアップロードを停止することを特徴とする信号処理装置。
【請求項３】
基準周期単位に番号をカウントし、当該番号を含むタイミング信号を基準周期単位に前記複数の配下カードに配信する複数のマスターカードと、
前記複数のマスターカードからそれぞれ配信される複数のタイミング信号を受信し、複数のタイミング信号のうちの一つを選択し、選択されたタイミング信号の番号に従って所定の信号処理を実施する複数の配下カードと、
前記複数のマスターカードからそれぞれ配信される複数のタイミング信号を受信し、複数のタイミング信号のうちの一つを選択し、選択されたタイミング信号の番号と同一の番号をカウントし、前記複数のマスターカードすべてからのタイミング信号の配信が停止すると、当該停止時の番号から連続する番号を自走によりカウントし、当該番号を含むタイミング信号を基準周期単位に前記マスターカードにアップロードするアップロード部とを備え、
前記複数のマスターカードすべてからのタイミング信号の配信停止後、最初にタイミング信号の配信を再開する第一のマスターカードは、前記アップロード部からアップロードされるタイミング信号の番号と連続する番号のカウントを再開し、当該カウントされる番号を含む前記タイミング信号の配信を再開することを特徴とする信号処理装置。
【請求項４】
基準周期単位に番号をカウントし、当該番号を含むタイミング信号を基準周期単位に前記複数の配下カードに配信するマスターカードと、
前記マスターカードから配信されるタイミング信号を受信し、前記タイミング信号の番号に従って所定の信号処理を実施し、さらに、前記マスターカードからのタイミング信号の配信が停止すると、当該停止時の番号から連続する番号を自走によりカウントする複数の配下カードと、
前記複数の配下カードのうちの選択された配下カードは、前記マスターカードからのタイミング信号の配信が停止すると、自走によりカウントされる番号を含むタイミング信号を基準周期単位に前記マスターカードにアップロードし、
前記マスターカードは、前記タイミング信号の配信停止後、前記選択された配下カードからアップロードされる番号と連続する番号のカウントを再開し、当該カウントされる番号を含む前記タイミング信号の配信を再開することを特徴とする信号処理装置。
【請求項５】
基準周期単位に番号をカウントし、当該番号を含むタイミング信号を基準周期単位に前記複数の配下カードに配信する複数のマスターカードと、
前記複数のマスターカードからそれぞれ配信される複数のタイミング信号を受信し、複数のタイミング信号のうちの一つを選択し、選択されたタイミング信号の番号に従って所定の信号処理を実施し、さらに、前記複数のマスターカードすべてからのタイミング信号の配信が停止すると、当該停止時の番号から連続する番号を自走によりカウントする複数の配下カードとを備え、
前記複数の配下カードのうちの第一の配下カードは、前記複数のマスターカードすべてからのタイミング信号の配信が停止すると、自走によりカウントされる番号を含むタイミング信号を基準周期単位に前記マスターカードにアップロードし、
前記複数のマスターカードすべてからのタイミング信号の配信停止後、最初にタイミング信号の配信を再開する第一のマスターカードは、前記第一の配下カードからアップロードされるタイミング信号の番号と連続する番号のカウントを再開し、当該カウントされる番号を含む前記タイミング信号の配信を再開することを特徴とする信号処理装置。
【請求項６】
請求項５において、
前記複数の配下カードに優先度が設定され、前記第一の配下カードは優先度が最も高い配下カードであって、
複数のマスターカードすべてからのタイミング信号の配信が停止すると、前記第一の配下カードが最初に前記タイミング信号のアップロードを開始し、前記第一の配下カード以外の配下カードは、第一の配下カードからのタイミング信号の受信に基づいて、前記タイミング信号のアップロードの開始を中止することを特徴とする信号処理装置。
【発明の詳細な説明】
【技術分野】
【０００１】
本発明は、無線通信システムを構成する複数の装置間を同期させるためのタイミング信号を生成する信号処理装置に関する。
【背景技術】
【０００２】
第３世代の移動通信方式であるW-CDMA(Wideband Code Division Multiple Access)は、3GPP(3rd Generation Partnership Project)により規格化されている。W-CDMAの無線通信システムを構成する複数の無線基地局装置（NodeB）とそれらを制御する基地局制御装置(RNC : Radio Network Controller)と間は、特許文献1や特許文献2に記述されているように、3GPPで規定されたタイミング同期手順(3GPP TS25.402、3GPP TS25.427)に従って、同期が確立されている。この装置間のタイミング同期が崩れると、正しい秘匿処理ができないこと、また、無線基地局装置においてデータ破棄が発生することから、通信サービスに大きな影響を与えてしまう。このため、装置間タイミング同期の基準として基地局制御装置RNCで持っているRFN（RNCフレームナンバー）の連続性を保つ意義は大きい。
【０００３】
基地局制御装置RNCは、装置内で共有する呼処理等に必要な基準タイミング信号（以下、「フレームナンバー」(Frame Number)と称す）を生成し、タイミング立同期確立に使用する。フレームナンバーは、例えば、10ms毎に+1ずつカウントされる0-4095の番号である。
【０００４】
基地局制御装置RNCは、フレームナンバーを生成する２つマスターカードと、無線基地局装置と通信して信号処理動作を行う複数の配下カードを備えて構成される。マスターカードは、例えば冗長化のため２重化構成となっており、一方がメインのマスターカードに設定され、他方がサブのマスターカードに設定されている。両マスターカードは、同一のフレームナンバーを生成し、配下カードにフレームナンバーを配信する。
【０００５】
通常状態の運用においては、各配下カードは、メインに設定されたマスターカードの生成するフレームナンバーに基づいて動作し、メインのマスターカードが故障した場合に、サブのマスターカードが生成するフレームナンバーに基づいて動作する。
【０００６】
なお、下記特許文献3は、クロック配信のための冗長構成として、マスター装置に障害が発生した場合は、スレーブ装置の一つがマスターモードに移行してクロックを配信し、マスター装置が復旧した場合はスレーブモードに戻る構成を開示されている。
【０００７】
基地局制御装置RNCにおける各配下カードは、マスターカードからのフレームナンバーを受信すると、自カード内のローカルカウンタによりフレームナンバーをカウントし、そのカウントされるフレームナンバーを使用し信号処理動作を行う。これにより、基地局制御装置RNCの２つのマスターカードの両方に障害が発生した場合であっても、各配下カードのローカルカウンタによりフレームナンバーをカウントしているため、フレームナンバーの連続性は維持され、装置間タイミング同期は保たれる。
【先行技術文献】
【特許文献】
【０００８】
【特許文献１】特開2009-77197号公報
【特許文献２】国際公開番号WO2003/086003号
【特許文献３】特開2003-174632号公報
【発明の概要】
【発明が解決しようとする課題】
【０００９】
上述したように、２つのマスターカードの両方に障害が発生した場合でも、各配下カードのローカルカウンタでフレームナンバーが継続してカウントされるため、フレームナンバーの連続性は維持される。
【００１０】
しかしながら、マスターカードが障害から復旧すると、マスターカードは、フレームナンバーの生成を再開し、各配下カードへのフレームナンバーの配信を再開する。このとき、マスターカードにおけるフレームナンバーのカウントは、初期化された値（例えば「０」）から再開され、各配下カードで継続してカウントされているフレームナンバーとは無関係なフレームナンバーが生成される。配下カードのローカルカウンタは、マスターカードからフレームナンバーを受信する間は、マスターカードからのフレームナンバーに同期してフレームナンバーをカウントする。そのため、マスターカードからのフレームナンバーの配信が再開することにより、配下カードのローカルカウンタでカウントされるフレームナンバーは、マスターカードから配信されるフレームナンバーに切り替わり、その連続性が途切れ、装置間タイミング同期も崩れる。これ以降、タイミング同期手順(3GPP TS25.402、3GPP TS25.427)を再度やり直すまで、通信に支障が生じる。
【００１１】
そこで、本開示の目的は、マスターカードによるフレームナンバーの配信再開において、フレームナンバーの連続性を維持する信号処理装置を提供することにある。
【課題を解決するための手段】
【００１２】
本開示の第一の信号処理装置は、基準周期単位に番号をカウントし、当該番号を含むタイミング信号を基準周期単位に配信するマスターカードと、マスターカードから配信されるタイミング信号を受信し、タイミング信号の番号に従って所定の信号処理を実施する複数の配下カードと、マスターカードから配信されるタイミング信号を受信し、受信されたタイミング信号の番号と同一の番号をカウントし、マスターカードからのタイミング信号の配信が停止すると、当該停止時の番号から連続する番号を自走によりカウントし、当該番号を含むタイミング信号を基準周期単位にマスターカードにアップロードするアップロード部とを備え、マスターカードは、タイミング信号の配信停止後、アップロード部からアップロードされる番号と連続する番号のカウントを再開し、当該カウントされる番号を含むタイミング信号の配信を再開する。
【００１３】
本開示の第二の信号処理装置は、基準周期単位に番号をカウントし、当該番号を含むタイミング信号を基準周期単位に複数の配下カードに配信する複数のマスターカードと、複数のマスターカードからそれぞれ配信される複数のタイミング信号を受信し、複数のタイミング信号のうちの一つを選択し、選択されたタイミング信号の番号に従って所定の信号処理を実施する複数の配下カードと、複数のマスターカードからそれぞれ配信される複数のタイミング信号を受信し、複数のタイミング信号のうちの一つを選択し、選択されたタイミング信号の番号と同一の番号をカウントし、複数のマスターカードすべてからのタイミング信号の配信が停止すると、当該停止時の番号から連続する番号を自走によりカウントし、当該番号を含むタイミング信号を基準周期単位にマスターカードにアップロードするアップロード部とを備え、複数のマスターカードすべてからのタイミング信号の配信停止後、最初にタイミング信号の配信を再開する第一のマスターカードは、アップロード部からアップロードされるタイミング信号の番号と連続する番号のカウントを再開し、当該カウントされる番号を含むタイミング信号の配信を再開する。
【００１４】
本開示の第三の信号処理装置は、基準周期単位に番号をカウントし、当該番号を含むタイミング信号を基準周期単位に複数の配下カードに配信するマスターカードと、マスターカードから配信されるタイミング信号を受信し、タイミング信号の番号に従って所定の信号処理を実施し、さらに、マスターカードからのタイミング信号の配信が停止すると、当該停止時の番号から連続する番号を自走によりカウントする複数の配下カードと、複数の配下カードのうちの選択された配下カードは、マスターカードからのタイミング信号の配信が停止すると、自走によりカウントされる番号を含むタイミング信号を基準周期単位にマスターカードにアップロードし、マスターカードは、タイミング信号の配信停止後、選択された配下カードからアップロードされる番号と連続する番号のカウントを再開し、当該カウントされる番号を含むタイミング信号の配信を再開する。
【００１５】
本開示の第四の信号処理装置は、基準周期単位に番号をカウントし、当該番号を含むタイミング信号を基準周期単位に複数の配下カードに配信する複数のマスターカードと、複数のマスターカードからそれぞれ配信される複数のタイミング信号を受信し、複数のタイミング信号のうちの一つを選択し、選択されたタイミング信号の番号に従って所定の信号処理を実施し、さらに、複数のマスターカードすべてからのタイミング信号の配信が停止すると、当該停止時の番号から連続する番号を自走によりカウントする複数の配下カードとを備え、複数の配下カードのうちの第一の配下カードは、複数のマスターカードすべてからのタイミング信号の配信が停止すると、自走によりカウントされる番号を含むタイミング信号を基準周期単位にマスターカードにアップロードし、複数のマスターカードすべてからのタイミング信号の配信停止後、最初にタイミング信号の配信を再開する第一のマスターカードは、第一の配下カードからアップロードされるタイミング信号の番号と連続する番号のカウントを再開し、当該カウントされる番号を含むタイミング信号の配信を再開する。
【発明の効果】
【００１６】
信号処理装置は、マスターカードから配下カードへのフレームナンバーの配信再開において、フレームナンバーの連続性を維持することができる。
【００１７】
信号処理装置が障害から復旧して再起動する際に、信号処理装置内のマスターカードは、配下カードがカウントしているフレームナンバーと連続性を維持したフレームナンバーの配信を再開することができる。
【図面の簡単な説明】
【００１８】
【図１】本実施の形態における無線通信システムの構成例を示す図である。
【図２】本実施の形態における信号処理装置である基地局制御装置１２の第一の構成例を示す図である。
【図３】マスターカード１２１の構成例を示す図である。
【図４】FNフレームの構成例を示す図である。
【図５】優先コードを示す図である。
【図６】優先度判定部１２１５における自走／従属動作の判定テーブルを示す。
【図７】配下カード１２２の構成例を示す図である。
【図８】優先度判定部１２２３におけるフレームナンバー選択テーブルの例である。
【図９】アップロード部１２３の構成例を示す図である。
【図１０】優先度判定部１２３３におけるフレームナンバー選択テーブルの例である。
【図１１】本実施の形態の基地局制御装置１２におけるフレームナンバーの伝送処理シーケンスを示す図である。
【図１２】通常動作状態における基地局制御装置１２の動作タイミングチャートである。
【図１３】＃１系マスターカード１２１−１からのFNフレーム配信が停止した場合の動作タイミングチャートである。
【図１４】＃１系マスターカード１２１−１のFNフレーム配信停止後に＃２系マスターカード１２１−２のFNフレーム配信が停止した場合の動作タイミングチャートである。
【図１５】＃１系マスターカード１２１−１の再起動時の動作タイミングチャートである。
【図１６】本実施の形態における基地局制御装置の第二の構成例を示す図である。
【図１７】第二の構成例における配下カード１２２の構成例を示す図である。
【図１８】第二の構成例における通常動作状態における基地局制御装置１２の動作タイミングチャートである。
【図１９】第二の構成例における＃１系マスターカード１２１−１からのFNフレーム配信が停止した場合の動作タイミングチャートである。
【図２０】第二の構成例における＃１系マスターカード１２１−１のFNフレーム配信停止後に＃２系マスターカード１２１−２のFNフレーム配信が停止した場合の動作タイミングチャートである。
【図２１】第二の構成例における＃１系マスターカード１２１−１の再起動時の動作タイミングチャートである。
【発明を実施するための形態】
【００１９】
図１は、本実施の形態における無線通信システムの構成例を示す図である。図１の構成例は、W-CDMA(Wideband-Code Division Multiple Access)の無線通信システムの構成例を示し、無線通信システムは、無線基地局装置（NodeB）１０と、基地局制御装置（RNC : Radio Network Controller）１２と、上位網（CN: Core Network）１４とを備えて構成される。基地局制御装置１２は、配下に少なくとも一つの無線基地局装置１０を有する。無線基地局装置１０は、それぞれ自エリア内に存在する移動機（UE：User Equipment） と通信を行う。
【００２０】
図２は、本実施の形態における信号処理装置である基地局制御装置１２の第一の構成例を示す図である。基地局制御装置１２は、２重化による冗長構成を取っている２つのマスターカード１２１−１、１２１−２（総称する場合、マスターカード１２１と称する）と、複数の配下カード１２２−１、…、１２２−ｎ（総称する場合、配下カード１２２と称する）と、アップロード部１２３とを備える。マスターカード１２１は２つに限らず、必要に応じて２以上の冗長構成を取ることができる。また、冗長構成をとらず、マスターカードは一つであってもよい。
【００２１】
マスターカード１２１は、配下カードでの基準タイミング信号となるフレームナンバーを生成するカードであり、それぞれ生成したフレームナンバーを各配下カード１２２に基準周期単位に配信する。本実施例では、マスターカード１２１−１を高優先のカード、マスターカード１２１−２を低優先のカードとし、両マスターカード１２１が正常に動作している通常動作状態では、マスターカード１２１−１の生成するフレームナンバーが基準となる。
【００２２】
配下カード１２２は、マスターカードから受信するフレームナンバーに基づいて呼処理を含む信号処理を実施する。
【００２３】
アップロード部１２３は、障害発生によりすべてマスターカード１２１からのフレームナンバーの配信が停止している場合に、フレームナンバーを配信する手段であり、図２の第一の構成例では、単独のカードとして構成される。
【００２４】
また、フレームナンバーを伝送する伝送ラインとして、マスターカード１２１−１と他のカード（マスターカード１２１−２、各配下カード１２２、アップロード部）とを接続する＃１系伝送ライン１２４と、マスターカード１２１−２と他のカード（マスターカード１２１−１、各配下カード１２２、アップロード部）とを接続する＃２系伝送ライン１２５と、アップロード部１２３と他のカード（マスターカード１２１−１、マスターカード１２１−２、各配下カード１２２）とを接続するアップロード系伝送ライン１２６とが設けられる。マスターカード１２１へのフレームナンバーの配信をアップロードと称する。以下、高優先のマスターカード１２１−１を＃１系マスターカード１２１−１と称し、低優先のマスターカードを＃２系マスターカード１２１−２と称する場合がある。
【００２５】
図３は、マスターカード１２１の構成例を示す図である。マスターカード１２１は、フレームカウンタ１２１１、FNフレーム生成部１２１２、受信チェック部１２１３、同期保護部１２１４、優先度判定部１２１５、従属制御部１２１６、送信制御部１２１７及び初期化タイマ１２１８を備えて構成される。
【００２６】
フレームカウンタ１２１１は、基準周期例えば10ms毎にフレームナンバーを＋１ずつ加算し、フレームナンバーをカウントする。フレームナンバーは、例えば0-4095の番号であって、フレームカウンタ１２１１は、0-4095の番号を繰り返し周期的にカウントする。
【００２７】
FNフレーム生成部１２１２は、フレームナンバー（FN）を含むフレーム（以下、FNフレームと称する）を生成する。図１１は、＃１系マスターカード１２１−１の例であり、FNフレームは、＃１系伝送ライン１２４に出力される。
【００２８】
図４は、FNフレームの構成例を示す図である。FNフレーム生成部１２１２は、フレームカウンタ１２１１からのフレームナンバーに優先コード、プリアンブル、フレーム同期パターン、エラーチェックコード（CRCコード、パリティビットなど）を付加してFNフレームを生成し、伝送ラインに出力する。
【００２９】
初期化タイマ１２１８は、マスターカード１２１の起動時から所定時間を計測するタイマである。初期化タイマ１２１８は、所定時間の計測終了、又は優先度判定部１２１５の制御により停止する。また、優先度が高いマスターカードほど初期化タイマにて計測する時間を短くすることで、複数のマスターカードを同時に起動する場合に、優先度の高いマスターカードが最初にFNフレームを配信することができ、優先度の低いマスターカードは優先度の高いマスターカードに従属同期した後でFNフレームの配信を始める。
【００３０】
送信制御部１２１７は、生成されたFNフレームの送信を制御する。マスターカード１２１起動時に初期化タイマ１２１８が作動し、初期化タイマ１２１８作動中は、FNフレームを配信せず、初期化タイマ停止後にFNフレームの配信を開始する。起動してから初期化タイマ停止後の状態が通常動作状態である。FNフレームは基準周期例えば10ms単位に配信される。
【００３１】
受信チェック部１２１３は、別のマスターカード１２１（＃２系マスターカード１２１−２）又はアップロード部１２３からのFNフレームを受信し、受信したFNフレームのフレーム同期パターンのチェック、エラーチェックを行い、受信したFNフレームの正当性をチェックする。
【００３２】
同期保護部１２１４は、受信チェック部１２１３によるフレーム同期パターンのチェックに基づいて、例えば、前方保護２段及び後方保護３段のフレーム同期保護を行い、同期確立時に、受信したFNフレームを出力する。
【００３３】
優先度判定部１２１５は、自己のマスターカード１２１−１に設定された優先コードと、別のマスターカード１２１又はアップロード部１２３からのFNフレームに含まれる優先コードとを比較する優先度判定処理を行う。優先度判定部１２１５は、比較結果に基づいて、受信したFNフレームに含まれるフレームナンバーと受信タイミングを従属制御部１２１６に通知する。
【００３４】
図５は、優先コードを示し、図６は、優先度判定部１２１５における自走／従属動作の判定テーブルを示す。図６（ａ）は、通常動作時における判定テーブルであり、図６（ｂ）は、起動時における判定テーブルである。なお、通常動作時は、初期化タイマ１２１８が作動していないときであり、起動時は、初期化タイマ１２１８が作動している間である。
【００３５】
図６の判定テーブルは、図５に示す優先コードの比較により、フレームカウンタ１２１１を自走させるか、又は受信したフレームナンバーに従属動作させるかを判定するためのテーブルである。図６（ａ）に示されるように、通常動作時は、自己の優先コードが受信した優先コードより優先度が低い場合に、フレームカウンタ１２１１は従属動作となる。図６（ｂ）に示されるように、起動時は、起動時は他のマスターカードあるいはアップロード系のフレームナンバーにフレームカウンタ１２１１を従属させるため、自己の優先度を最低と見なして優先度を判定している。
【００３６】
優先度判定部１２１５は、従属動作と判定すると、受信したフレームナンバーと受信タイミングを従属制御部１２１６に送信する。
【００３７】
従属制御部１２１６は、優先度判定部１２１５からのフレームナンバーと受信タイミングでフレームカウンタ１２１１をロードする。一方、優先度判定部１２１５は、自走動作と判定すると、受信したフレームナンバーと受信タイミングを従属制御部１２１６に送信しない。これにより、フレームカウンタ１２１１は自走する。
【００３８】
図７は、配下カード１２２の構成例を示す図である。配下カード１２２は、受信チェック部１２２１、同期保護部１２２２、優先度判定部１２２３、従属制御部１２２４、ローカルカウンタ１２２５、自走選択判定部１２２６及び信号処理部１２２７を備えて構成される。
【００３９】
受信チェック部１２２１は、２つのマスターカード１２１及びアップロード部１２３の少なくとも一つ（通常動作状態では、２つのマスターカード１２１の両方）からのFNフレームを受信し、受信したFNフレームのフレーム同期パターンのチェック、エラーチェックを行い、受信したFNフレームの正当性をチェックする。
【００４０】
同期保護部１２２２は、受信チェック部１２２１によるフレーム同期パターンのチェックに基づいて、例えば、前方保護２段及び後方保護３段のフレーム同期保護を行い、同期確立時に、受信したFNフレームを出力する。また、同期保護部１２２２は、３系統すべてからのFNフレームの入力断・入力異常を検出した場合は、入力異常検出情報を自走選択判定部１２２６に出力する。
【００４１】
優先度判定部１２２３は、２つのマスターカード１２１からのFNフレームより抽出された優先コードを比較し、比較結果に基づいて、受信したFNフレームに含まれるフレームナンバーと受信タイミングを従属制御部１２２４及び自走選択判定部１２２６に出力する。
【００４２】
図８は、優先度判定部１２２３におけるフレームナンバー選択テーブルの例である。優先度判定部１２２３は、優先度の高い方のFNフレームに含まれるフレームナンバーと受信タイミングを選択して従属制御部１２２４及び自走選択判定部１２２６に出力する。また、優先度判定部１２２３は、２つのマスターカード１２１両方からFNフレームを受信しない場合に、アップロード部１２３からのFNフレームを選択する。従って、アップロード部１２３からのFNフレームに含まれる優先コードは、マスターカード１２１よりも低い優先度に設定される。
【００４３】
従属制御部１２２４は、優先度判定部１２２３により選択され出力されたフレームナンバーと受信タイミングでローカルカウンタ１２２５をロードする。
【００４４】
ローカルカウンタ１２２５は、通常、従属制御部１２２４からのフレームナンバーと受信タイミングに従属してフレームナンバーをカウントする。また、３系統すべてからFNフレームが入力されない異常発生時においては、優先度判定部１２２３は、フレームナンバーと受信タイミングを従属制御部１２２４に出力しない。この場合、従属制御部１２２４はローカルカウンタ１２２５を従属動作させず、ローカルカウンタ１２２５は自走によりフレームナンバーをカウントする。
【００４５】
自走選択判定部１２２６は、通常動作状態、優先度判定部１２２３からのフレームナンバー・受信タイミングを選択し、基準タイミング信号として、信号処理部１２２７に配信する。通常動作状態は、優先度判定部１２２３からフレームナンバーを受信し、同期保護部１２２２から入力異常検出情報を受信しない状態である。一方、自走選択判定部１２２６は、マスターカード停止時、すなわち、優先度判定部１２２３からフレームナンバーを受信せず、同期保護部１２２２から入力異常検出情報を受信する全マスターカードおよびアップロード部の停止状態においては、ローカルカウンタ１２２５が自走によりカウントするフレームナンバーを選択し、信号処理部１２２７に配信する。
【００４６】
図９は、アップロード部１２３の構成例を示す図である。アップロード部１２３は、受信チェック部１２３１、同期保護部１２３２、優先度判定部１２３３、従属制御部１２３４、ローカルカウンタ１２３５、FNフレーム生成部１２３６及び送信制御部１２３７を備えて構成される。
【００４７】
受信チェック部１２３１は、２つのマスターカード１２１の少なくとも一つ（通常動作状態では、２つのマスターカード１２１の両方）からのFNフレームを受信し、受信したFNフレームのフレーム同期パターンのチェック、エラーチェックを行い、受信したFNフレームの正当性をチェックする。
【００４８】
同期保護部１２３２は、受信チェック部１２２１によるフレーム同期パターンのチェックに基づいて、例えば、前方保護２段及び後方保護３段のフレーム同期保護を行い、同期確立時に、受信したFNフレームを出力する。また、同期保護部１２３２は、２系統すべてからのFNフレームの入力断・入力異常を検出した場合は、入力異常検出情報をFNフレーム生成部１２３６に出力する。
【００４９】
優先度判定部１２３３は、２つのマスターカード１２１からのFNフレームより抽出された優先コードを比較し、比較結果に基づいて、受信したFNフレームに含まれるフレームナンバーと受信タイミングを従属制御部１２３４に出力する。
【００５０】
図１０は、優先度判定部１２３３におけるフレームナンバー選択テーブルの例である。優先度判定部１２３３は、優先度の高い方のFNフレームに含まれるフレームナンバーと受信タイミングを選択して従属制御部１２３４に出力する。また、優先度判定部１２３３は、２つのマスターカード１２１両方からFNフレームを受信しない場合は、フレームナンバーと受信タイミングをローカルカウンタ１２３５に出力しない。
【００５１】
従属制御部１２３４は、優先度判定部１２３３により選択され出力されたフレームナンバーと受信タイミングでローカルカウンタ１２３５をロードする。
【００５２】
ローカルカウンタ１２３５は、従属制御部１２３４からのフレームナンバーと受信タイミングに従属してフレームナンバーをカウントする。また、２系統のマスターカード１２１両方からFNフレームが入力されないマスターカード停止時においては、優先度判定部１２３３は、フレームナンバーと受信タイミングを従属制御部１２３４に出力しない。この場合、従属制御部１２３４はローカルカウンタ１２３５を従属動作させず、ローカルカウンタ１２３５は自走によりフレームナンバーをカウントする。
【００５３】
FNフレーム生成部１２３６は、ローカルカウンタ１２３５からのフレームナンバーに優先コード、プリアンブル、フレーム同期パターン、エラーチェックコード（CRCコード、パリティビットなど）を付加してFNフレームを生成する。
【００５４】
送信制御部１２３７は、同期保護部１２３２からの入力異常検出情報を受信すると、FNフレームをアップロード伝送ライン１２６を介してマスターカード１２１に出力し、入力異常検出情報を受信しない状態においては、FNフレームの出力を停止する。２系統のマスターカード１２１両方に障害が発生した後、少なくとも一方のマスターカード１２１が復旧し、再起動する場合において、マスターカード１２１は、アップロード部１２３からのFNフレームをアップロード系伝送ライン１２６から受信する。アップロード部１２３からのFNフレームに含まれるフレームナンバーは、マスターカード１２１両方からの配信が停止する前のフレームナンバーと連続性を維持している。
【００５５】
マスターカード１２１は、再起動時に初期化タイマ１２１８をセットし、初期化タイマ１２１８の作動により、起動開始から一定時間、FNフレームの送信は停止される。図１１の時刻Tｃのように、全てのマスターカードが障害等により動作を停止した後で、マスターカードが再起動する場合、他のマスターカードは未起動又は初期化タイマ作動中であるため、FNフレームを送信しない。従って、マスターカード１２１は、他のマスターカードからのFNフレームを受信せず、アップロード部１２３からのFNフレームを受信する。優先度判定部１２１５は、図６（ｂ）の判定テーブルに基づいて、アップロード部１２３からのFNフレームに含まれるフレームナンバー・受信タイミングを選択して、従属制御部１２１６に出力する。従属制御部１２１６は、アップロード部１２３からのフレームナンバー・受信タイミングでフレームカウンタ１２１１をロードし、フレームカウンタ１２１１を従属動作させる。
【００５６】
これにより、フレームカウンタ１２１１がカウントするフレームナンバーは、マスターカード停止中に配下カード１２２が自走によりカウントし続けているフレームナンバーと同一のフレームナンバーとなり、フレームナンバーの連続性が維持される。
【００５７】
優先度判定部１２１５は、フレームカウンタ１２１１を従属制御させた後、初期化タイマ１２１８を停止させる。初期化タイマ停止により、送信制御部１２１７は、連続性が維持されたフレームナンバーを含むFNフレームを出力する。また、初期化タイマ停止により、優先度判定部１２１５は、通常動作状態に戻る。
【００５８】
図１１は、本実施の形態の基地局制御装置１２におけるフレームナンバーの伝送処理シーケンスを示す図である。マスターカード１２１−１及びマスターカード１２１−２の両方とも正常に動作している通常動作状態（時刻Ｔａ前）において、マスターカード１２１−１及びマスターカード１２１−２は、それぞれの＃１系伝送ライン１２４及び＃２系伝送ライン１２５にて生成したフレームナンバーを他のカードに配信する。
【００５９】
マスターカード１２１−１は、マスターカード１２１−２からのフレームナンバーを受信する。優先度判定により、マスターカード１２１−１は、自己の優先度の方がマスターカード１２１−２より高いことを判定し、マスターカード１２１−１のフレームカウンタは、マスターカード１２１−２からのフレームナンバーに従属せず、自走によりフレームナンバーをカウントし、配信する。
【００６０】
マスターカード１２１−２は、マスターカード１２１−１からのフレームナンバーを受信する。優先度判定により、マスターカード１２１−２は、自己の優先度の方がマスターカード１２１−１より低いことを判定し、マスターカード１２１−２のフレームカウンタは、マスターカード１２１−１からのフレームナンバーに従属してフレームナンバーをカウントし、配信する。
【００６１】
配下カード１２２及びアップロード部１２３は、マスターカード１２１−１及び１２１−２の両方からフレームナンバーを受信する。優先度判定により、配下カード１２２及びアップロード部１２３は、優先度の高いマスターカード１２１−１のフレームナンバーを選択し、配下カード１２２及びアップロード部１２３に設けられるローカルカウンタは、選択したフレームナンバーに従属してフレームナンバーをカウントする。
【００６２】
時刻Ｔａにおいて、マスターカード１２１−１に障害が発生し、マスターカード１２１−１からのフレームナンバーの配信が停止する。これにより、マスターカード１２１−２のみが他のカードにフレームナンバーを配信する状態となる。
【００６３】
マスターカード１２１−２は、マスターカード１２１−１からフレームナンバーを受信しなくなるので、マスターカード１２１−２のフレームカウンタは自走によりフレームナンバーをカウントし配信する。マスターカード１２１−１のフレームナンバーに従属同期していたマスターカード１２１−２のフレームカウンタがそのまま自走へ移行するため、時刻Ｔａにおけるフレームナンバーの連続性は確保される。
【００６４】
配下カード１２２及びアップロード部１２３は、マスターカード１２１−２のみからフレームナンバーを受信する。優先度判定により、配下カード１２２及びアップロード部１２３は、マスターカード１２１−２のフレームナンバーを選択し、配下カード１２２及びアップロード部１２３に設けられるローカルカウンタは、選択したフレームナンバーに従属してフレームナンバーをカウントする。配下カード１２２及びアップロード部１２３においても、各ローカルカウンタが、マスターカード１２１−１のフレームナンバーに従属同期していたマスターカード１２１−２のフレームナンバーへの従属同期に切り替わるため、時刻Ｔａにおけるフレームナンバーの連続性は確保される。
【００６５】
時刻Ｔｂにおいて、さらに、マスターカード１２１−２にも障害が発生し、マスターカード１２１−１及び１２１−２の両方からのフレームナンバーの配信が停止する。両マスターカード１２１からのフレームナンバーの配信が停止することにより、アップロード部１２３のローカルカウンタは、自走によりフレームナンバーをカウントし、マスターカード１２１へのアップロードと各配下カード１２２への配信を開始する。マスターカード１２１−２のフレームナンバーに従属同期していたアップロード部１２３のローカルカウンタがそのまま自走へ移行するため、時刻Ｔｂにおけるフレームナンバーの連続性は確保される。
【００６６】
配下カード１２２は、アップロード部１２３からのフレームナンバーを受信する。優先度判定により、配下カード１２２は、アップロード部１２３からのフレームナンバーを選択し、配下カード１２２に設けられるローカルカウンタは、選択したフレームナンバーに従属してフレームナンバーをカウントする。配下カード１２２の各ローカルカウンタは、＃２系マスターカード１２１−２のフレームナンバーに従属同期していたアップロード部１２３のフレームナンバーへの従属同期に切り替わるため、時刻Ｔｂにおけるフレームナンバーの連続性は確保される。
【００６７】
時刻Ｔｃにおいて、マスターカード１２１−１が復旧し、再起動を開始する。再起動開始時において、マスターカード１２１−１はフレームカウンタを初期化し作動開始するとともに、初期化タイマを作動させる。初期化タイマ作動中は、他カードからのフレームナンバーに従属動作することを目的としているため、初期化タイマが停止するまでの間（時刻ＴｃからＴｄの間）は、マスターカード１２１−１からフレームナンバーは配信されない。
【００６８】
初期化タイマ作動中において、マスターカード１２１−１は、アップロード部１２３からのフレームナンバーのみを受信している。起動時の優先度判定に従い、マスターカード１２１−１のフレームカウンタは、アップロード部１２３からのフレームナンバーに従属動作し、フレームナンバーを生成する。アップロード部１２３からのフレームナンバーに従属することで、マスターカード再起動時においても、フレームナンバーの連続性が維持される。
【００６９】
従属動作によるフレームナンバーの生成により、初期化タイマが停止し、マスターカード１２１−１からのフレームナンバーの配信が再開される（時刻Ｔｄ）。初期化タイマ停止とともに、マスターカード１２１−１は、通常の優先度判定により、自己の優先度が最も高いので、自走に切り替わる。
【００７０】
配下カード１２２及びアップロード部１２３は、マスターカード１２１−１からのフレームナンバーを受信することにより、マスターカード１２１−１のフレームナンバーを選択し、配下カード１２２のローカルカウンタは、アップロード部１２３からのフレームナンバーに従属するカウント動作から、マスターカード１２１−１からのフレームナンバーに従属するカウント動作に切り替わる。アップロード部１２３に設けられるローカルカウンタは、自走によるカウント動作からマスターカード１２１−１からのフレームナンバーに従属するカウント動作に切り替わる。配下カード１２２の各ローカルカウンタは、アップロード部１２３のフレームナンバーに従属同期していた＃２系マスターカード１２１−１のフレームナンバーへの従属同期に切り替わるため、時刻Ｔｄにおけるフレームナンバーの連続性は確保される。
【００７１】
また、アップロード部１２３は、マスターカード１２１−１からフレームナンバーを受信することにより、フレームナンバーの配信を停止する。マスターカード１２１によるフレームナンバーの配信再開により、マスターカードへのフレームナンバーのアップロードは不要となるので、アップロード１２３部の配信動作は停止される。図示されないが、マスターカード１２１−１と同時にマスター１２１−２の再起動が行われる場合、マスターカード１２１−２のフレームカウンタは、初期化タイマ動作中に、アップロード部１２３に従属するカウント動作を行い、初期化タイマ停止後に、マスターカード１２１−１からのフレームナンバーに従属するカウント動作に切り替わる。
【００７２】
図１２は、通常動作状態における基地局制御装置１２の動作タイミングチャートである。＃１系マスターカード１２１−１は高優先度のマスターカードであるので、＃１系フレームカウンタ１２１１は、低優先度の＃２系マスターカード１２１−２からのFNフレームの受信状態によらず、自走状態を継続する。この自走状態のカウントに従って、＃１系FNフレームが生成され、＃１系伝送ライン１２４にて配信される。
【００７３】
＃２系マスターカード１２１−２は、＃１系伝送ライン１２４にて配信されている＃１系FNフレームを正常に受信する。正常受信とは、エラーチェックが正常であり、同期も確立している受信である。＃２系マスターカードの優先度は、＃１系マスターカード１２１−１より低いため、＃２系従属制御部１２１６は、＃１系フレームナンバー・受信タイミングで＃２系フレームカウンタ１２１１をロードし、従属動作させる。＃２系FNフレーム生成部１２１２は、従属動作により、＃１系マスターカード１２１−１と同一のタイミング及び同一のフレームナンバーで＃２系FNフレームを生成する。送信制御部１２１７は、配信可能状態(enable)であり、生成した＃２系FNフレームを＃２系伝送ライン１２５に配信する。
【００７４】
アップロード部１２３は、＃１系伝送ライン１２４及び＃２系伝送ライン１２５にてそれぞれ配信される＃１系FNフレーム及び＃２系FNフレームを正常に受信する。アップロード部１２３の優先度判定部１２３３は、＃１系FNフレームと＃２系FNフレームの優先度を判定し、優先度の高い＃１系FNフレームを選択する。従属制御部１２３４は、選択した＃１系FNフレームのフレームナンバー・受信タイミングでローカルカウンタ１２３５をロードし、従属動作させる。FNフレーム生成部１２３６は、ローカルカウンタ１２３５でカウントされたフレームナンバーを含むFNフレームを生成するが、＃１系FNフレーム及び＃２系FNフレームを受信しているため、送信制御部１２３７は、配信不能状態(disable)であり、生成されたFNフレームはアップロード系伝送ライン１２６には出力されない。
【００７５】
配下カード１２２は、＃１系伝送ライン１２４及び＃２系伝送ライン１２５にてそれぞれ配信される＃１系FNフレーム及び＃２系FNフレームを正常に受信する。配下カード１２２の優先度判定部１２２３は、＃１系FNフレームと＃２系FNフレームの優先度を判定し、優先度の高い＃１系FNフレームを選択する。従属制御部１２２４は、選択した＃１系FNフレームのフレームナンバー・受信タイミングでローカルカウンタ１２２５をロードし、従属動作させる。自走選択部１２２６は、信号処理部１２２７の基準タイミング信号として選択した＃１系FNフレームのフレームナンバーを配信する。
【００７６】
図１３は、＃１系マスターカード１２１−１からのFNフレーム配信が停止した場合の動作タイミングチャートである。
【００７７】
時刻ｔ１で、＃１系マスターカード１２１−１のFNフレーム配信が停止すると、時刻ｔ２で＃２系マスターカード１２１−２は、＃１系伝送ライン１２４からのFNフレームを受信せず、＃１系伝送ライン１２４の受信異常、非同期状態を検出する。また、＃２系マスターカード１２１−２は、自己の優先度より高い優先度のFNフレームを受信しなくなるので、＃２系フレームカウンタ１２１１は従属動作から自走動作に切り替わる。
【００７８】
アップロード部１２３は、時刻ｔ２において、＃１系伝送ライン１２４からのFNフレームを受信せず、＃１系伝送ライン１２４の受信異常、非同期状態を検出する。優先度判定部１２３３が＃２系FNフレームを選択し、従属制御部１２３４は、選択した＃２系FNフレームのフレームナンバー・受信タイミングでローカルカウンタ１２３５をロードし、従属動作させる。FNフレーム生成部１２３６は、ローカルカウンタ１２３５でカウントされたフレームナンバーを含むFNフレームを生成するが、＃２系FNフレームを受信しているため、送信制御部１２３７は、配信不能状態(disable)であり、生成されたFNフレームはアップロード系伝送ライン１２６には出力されない。
【００７９】
配下カード１２３は、時刻ｔ２において、＃１系伝送ライン１２４からのFNフレームを受信せず、＃１系伝送ライン１２４の受信異常、非同期状態を検出する。配下カード１２３の優先度判定部１２２３は、＃２系FNフレームを選択し、従属制御部１２２４は、選択した＃２系FNフレームのフレームナンバー・受信タイミングでローカルカウンタ１２２５をロードし、従属動作させる。自走選択部１２２６は、信号処理部１２２７の基準タイミング信号として選択した＃２系FNフレームのフレームナンバーを配信する。時刻ｔ２における基準タイミング信号の切替は、直前まで従属動作していたフレームナンバーへの切替のため、フレームナンバーの連続性は維持される。
【００８０】
図１４は、＃１系マスターカード１２１−１のFNフレーム配信停止後に＃２系マスターカード１２１−２のFNフレーム配信が停止した場合の動作タイミングチャートである。時刻ｔ３で、＃２系マスターカード１２１−２のFNフレーム配信が停止する。これにより、＃１系マスターカード１２１−１及び＃２系マスターカード１２１−２の両方からのFNフレーム配信が停止する。
【００８１】
時刻ｔ４で、アップロード部１２３は、＃２系伝送ライン１２５からFNフレームを受信しない受信異常、非同期状態を検出する。優先度判定部１２３３は、両マスターカード１２１からのFNフレームを受信しないので、従属制御部１２３４は、ローカルカウンタ１２３５を自走動作に切り替える。フレームナンバーの連続性は維持される。また、送信制御部１２３７は、両マスターカード１２１からのFNフレーム配信が停止することで、FNフレーム生成部１２３６で生成されたFNフレームの配信が可能となり (enable)、アップロード系伝送ライン１２６にアップロード系FNフレームを出力する。
【００８２】
時刻ｔ４で、配下カード１２２は、＃２系伝送ライン１２５からFNフレームを受信しない受信異常、非同期状態を検出する。優先度判定部１２２３は、両マスターカード１２１からのFNフレームを受信しないので、従属制御部１２２４は、ローカルカウンタ１２２５を自走動作に切り替え、選択部１２２６は、信号処理部１２２７の基準タイミング信号としてローカルカウンタ１２２５のフレームナンバーを配信する。時刻ｔ４における基準タイミング信号の切替は、直前まで従属動作していたフレームナンバーへの切替のため、フレームナンバーの連続性は維持される。その後、時刻ｔ５において、アップロード部１２３からのFNフレームとの同期状態が確立すると、優先度判定部１２２３は、アップロード系FNフレームを選択し、従属制御部１２２４は、選択したアップロード系FNフレームのアフレームナンバー・受信タイミングでローカルカウンタ１２２５をロードし、従属動作させる。自走選択部１２２６は、信号処理部１２２７の基準タイミング信号として選択したアップロード系FNフレームのフレームナンバーを配信する。時刻ｔ５においても、ローカルカウンタ１２２５同様、＃２系FNフレームのフレームナンバーに従属動作していたフレームナンバーへの切替のため、フレームナンバーの連続性が維持される。
【００８３】
図１５は、＃１系マスターカード１２１−１の再起動時の動作タイミングチャートである。時刻ｔ７で、＃１系マスターカード１２１−１の再起動が開始される。再起動開始に伴い、初期化タイマ１２１８が作動開始する。初期化タイマ作動中の時刻ｔ８で、受信されるアップロード部１２３からのFNフレームとの同期状態が確立し、優先度判定部１２１５は、起動時の判定テーブルに従い、アップロード系FNフレームを選択する。従属制御部１２１６は、選択したアップロード系FNフレームのフレームナンバー・受信タイミングでフレームカウンタ１２１１をロードし、アップロード部１２３のフレームナンバーに従属させる。
【００８４】
アップロード部１２３のフレームナンバーへの従属動作が完了した時刻ｔ９で、初期化タイマ１２１８は停止し、時刻ｔ１０で、フレームカウンタ１２１１は自走制御に切り替わるとともに、送信制御部１２１７は、アップロード系FNフレームのフレームナンバーを引き継いだFNフレームの配信を再開する。時刻ｔ１０以降、通常動作状態に戻る。
【００８５】
図１５では、＃２系マスターカード１２１−２は、まだ復旧しておらず、再起動が開始されていない。
【００８６】
アップロード部１２３は、時刻ｔ１０で、再起動した＃１系マスターカード１２１−１からのFNフレームを受信し、時刻ｔ１１で受信同期状態を確立する。これにより、送信制御部１２３７は、FNフレーム生成部１２３６で生成されるFNフレームの配信を停止する。優先度判定部１２３３は、＃１系マスターカード１２１−１からの＃1系FNフレームを選択し、従属制御部１２３４は、選択した＃1系FNフレームのフレームナンバー・受信タイミングでローカルカウンタ１２３５をロードし、従属動作させる。
【００８７】
配下カード１２２は、時刻ｔ１０で、再起動した＃１系マスターカード１２１−１からのFNフレームを受信し、時刻ｔ１１で受信同期状態を確立する。これにより、優先度判定部１２２３は、アップロード部１２３からのアップロード系FNフレームに代わって、＃１系マスターカード１２１−１からの＃1系FNフレームを選択し、従属制御部１２２４は、選択した＃1系FNフレームのフレームナンバー・受信タイミングでローカルカウンタ１２２５をロードし、従属動作させる。自走選択部１２２６は、信号処理部１２２７の基準タイミング信号として選択した＃１系FNフレームのフレームナンバーを配信する。これにより、信号処理部１２２７の基準タイミング信号は、アップロード系FNフレームのフレームナンバーを引き継いだ＃1系FNフレームのフレームナンバーに切り替わるため、時刻ｔ１１においても、フレームナンバーの連続性が維持される。
【００８８】
図１６は、本実施の形態における基地局制御装置の第二の構成例を示す図である。第二の構成例では、第一の構成例との比較において、各配下カード１２２がアップロード部１２３の機能（アップロード機能）を備える。すなわち、単独のカードとして、アップロード部１２３が設けられるのではなく、複数の配下カード１２２それぞれにアップロード部１２３の機能が組み込まれる。複数の配下カード１２２にアップロード機能が組み込まれるため、各配下カード１２２に優先度が設定され、優先度に応じていずれか一つの配下カード１２２のみがアップロード部１２３として機能するように制御される。なお、マスターカード１２１の構成は、第一の構成例と同様である。
【００８９】
図１７は、第二の構成例における配下カード１２２の構成例を示す図である。配下カード１２２は、図７で示した配下カード１２２と同様の受信チェック部１２２１、同期保護部１２２２、優先度判定部１２２３、従属制御部１２２４、ローカルカウンタ１２２５、自走選択判定部１２２６及び信号処理部１２２７を備える。さらに、配下カード１２２は、アップロード部１２３として機能するための図９で示したアップロード部１２３のFNフレーム生成部１２３６及び送信制御部１２３７を備える。配下カード１２２は、さらに、優先度制御のための送信待ち合わせタイマ１２３８及びアップロード系受信チェック部１２３９を備える。
【００９０】
各配下カード１２２に対するマスターカード１２１すべてからのFNフレームの配信が停止すると、各配下カード１２２の同期保護部１２２２は入力異常検出情報を出力する。送信待ち合わせタイマ１２３８は、入力異常検出情報を受信すると、アップロード系FNフレームの送信待ち合わせ時間のカウントを開始する。送信待ち合わせ時間は、優先度の高い配下カード１２２ほど短く、優先度の低いカードほど長く設定される。待ち合わせタイマ１２３８は、送信待ち合わせ時間のカウントを満了すると、送信制御部１２３７に対して送信指示信号を出力し、送信制御部にアップロード系FNフレームの送信を開始させる。いずれかのマスターカードからのFNフレーム配信が再開され、同期保護部１２２２からの入力断検出信号の出力が止まるまで、送信制御部のアップロード系FNフレームの送信は継続する。
【００９１】
アップロード系受信チェック部１２３９は、アップロード系伝送ライン１２６からのFNフレームを受信し、受信したFNフレームの同期パターンチェック、エラーチェック、優先度判定を行う。待ち合わせタイマ１２３８が送信待ち合わせ時間をカウント中に、他の配下カード１２２からFNフレームを受信した場合は、待ち合わせタイマ１２３８のカウントを停止する。これにより、自配下カード１２２からのアップロード系FNフレーム送信は行われない。優先度が高いほど送信待ち合わせ時間が短い設定のため、優先度が最も高い配下カード１２２が、アップロード系FNフレームを配信する。
【００９２】
図１８は、第二の構成例における通常動作状態における基地局制御装置１２の動作タイミングチャートである。＃１系マスターカード１２１−１は高優先度のマスターカードであるので、＃１系フレームカウンタ１２１１は、低優先度の＃２系マスターカード１２１−２からのFNフレームの受信状態によらず、自走状態を継続する。この自走状態のカウントに従って、＃１系FNフレームが生成され、＃１系伝送ライン１２４にて配信される。
【００９３】
＃２系マスターカード１２１−２は、＃１系伝送ライン１２４にて配信されている＃１系FNフレームを正常に受信する。正常受信とは、エラーチェックが正常であり、同期も確立している受信である。＃２系マスターカードの優先度は、＃１系マスターカード１２１−１より低いため、＃２系従属制御部１２１６は、＃１系フレームナンバー・受信タイミングで＃２系フレームカウンタ１２１１をロードし、従属動作させる。＃２系FNフレーム生成部１２１２は、従属動作により、＃１系マスターカード１２１−１と同一のタイミング及び同一のフレームナンバーで＃２系FNフレームを生成する。送信制御部１２１７は、配信可能状態(enable)であり、生成した＃２系FNフレームを＃２系伝送ライン１２５に配信する。
【００９４】
配下カード１２２は、＃１系伝送ライン１２４及び＃２系伝送ライン１２５にてそれぞれ配信される＃１系FNフレーム及び＃２系FNフレームを正常に受信する。配下カード１２２の優先度判定部１２２３は、＃１系FNフレームと＃２系FNフレームの優先度を判定し、優先度の高い＃１系FNフレームを選択する。従属制御部１２２４は、選択した＃１系FNフレームのフレームナンバー・受信タイミングでローカルカウンタ１２２５をロードし、従属動作させる。自走選択部１２２６は、信号処理部１２２７の基準タイミング信号として選択した＃１系FNフレームのフレームナンバーを配信する。FNフレーム生成部１２３６は、ローカルカウンタ１２２５でカウントされたフレームナンバーを含むFNフレームを生成するが、＃１系FNフレーム及び＃２系FNフレームを受信しているため、送信制御部１２３７は、配信不能状態(disable)であり、生成されたFNフレームはアップロード系伝送ライン１２６には出力されない。
【００９５】
図１９は、第二の構成例における＃１系マスターカード１２１−１からのFNフレーム配信が停止した場合の動作タイミングチャートである。
【００９６】
時刻ｔ１で、＃１系マスターカード１２１−１のFNフレーム配信が停止すると、時刻ｔ２で＃２系マスターカード１２１−２は、＃１系伝送ライン１２４からのFNフレームを受信せず、＃１系伝送ライン１２４の受信異常、非同期状態を検出する。また、＃２系マスターカード１２１−２は、自己の優先度より高い優先度のFNフレームを受信しなくなるので、＃２系フレームカウンタ１２１１は従属動作から自走動作に切り替わる。
【００９７】
配下カード１２２は、時刻ｔ２において、＃１系伝送ライン１２４からのFNフレームを受信せず、＃１系伝送ライン１２４の受信異常、非同期状態を検出する。配下カード１２２の優先度判定部１２２３は、＃２系FNフレームを選択し、従属制御部１２２４は、選択した＃２系FNフレームのフレームナンバー・受信タイミングでローカルカウンタ１２２５をロードし、従属動作させる。自走選択判定部１２２６は、信号処理部１２２７の基準タイミング信号として選択した＃２系FNフレームのフレームナンバーを配信する。時刻ｔ２における基準タイミング信号の切替は、直前まで従属動作していたフレームナンバーへの切替のため、フレームナンバーの連続性は維持される。また、FNフレーム生成部１２３６は、ローカルカウンタ１２２５でカウントされたフレームナンバーを含むFNフレームを生成するが、＃２系FNフレームを受信しているため、送信制御部１２３７は、配信不能状態(disable)であり、生成されたFNフレームはアップロード系伝送ライン１２６には出力されない。
【００９８】
図２０は、第二の構成例における＃１系マスターカード１２１−１のFNフレーム配信停止後に＃２系マスターカード１２１−２のFNフレーム配信が停止した場合の動作タイミングチャートである。時刻ｔ３で、＃２系マスターカード１２１−２のFNフレーム配信が停止する。これにより、＃１系マスターカード１２１−１及び＃２系マスターカード１２１−２の両方からのFNフレーム配信が停止する。
【００９９】
時刻ｔ４で、配下カード１２２は、＃２系伝送ライン１２５からFNフレームを受信しない受信異常、非同期状態を検出する。各配下カード１２２の優先度判定部１２２３は、両マスターカード１２１からのFNフレームを受信しないので、従属制御部１２２４は、ローカルカウンタ１２２５を自走動作に切り替え、選択部１２２６は、信号処理部１２２７の基準タイミング信号としてローカルカウンタ１２２５のフレームナンバーを配信する。時刻ｔ４における基準タイミング信号の切替は、直前まで従属動作していたフレームナンバーへの切替のため、フレームナンバーの連続性は維持される。
【０１００】
また、時刻ｔ４において、両マスターカード１２１からのFNフレーム配信の停止により、各配下カード１２２の同期保護部１２２２は入力異常検出情報を出力するため、各配下カード１２２の待ち合わせタイマ１２３８のカウントが開始される。優先度の最も高い配下カード１２２−１は、時刻ｔ５でカウントを満了し、送信制御部１２３７は、配信可能状態(Enable)となり、アップロード系伝送ライン１２６からFNフレームのアップロードを開始する。それ以外の配下カード１２２は、時刻ｔ５で、優先度の最も高い配下カード１２２−1からFNフレームをアップロード系伝送ライン１２６で受信し、時刻ｔ６で、同期状態が確立するため、待ち合わせタイマ１２３８のカウントは停止し、アップロード系FNフレームの送信を行わない。
【０１０１】
図２１は、第二の構成例における＃１系マスターカード１２１−１の再起動時の動作タイミングチャートである。時刻ｔ７で、＃１系マスターカード１２１−１の再起動が開始される。再起動開始に伴い、初期化タイマ１２１８が作動開始する。初期化タイマ作動中の時刻ｔ８で、アップロード系伝送ライン１２６で受信される配下カード１２２からのFNフレームとの同期状態が確立し、優先度判定部１２１５は、起動時の判定テーブルに従い、アップロード系FNフレームを選択する。従属制御部１２１６は、選択したアップロード系FNフレームのフレームナンバー・受信タイミングでフレームカウンタ１２１１をロードし、配下カード１２２のフレームナンバーに従属させる。
【０１０２】
最も優先度の高い配下カード１２２−1が送信するフレームナンバーへの従属動作が完了した時刻ｔ９で、初期化タイマ１２１８は停止し、時刻ｔ１０で、フレームカウンタ１２１１は自走制御に切り替わるとともに、送信制御部１２１７は、アップロード系FNフレームのフレームナンバーを引き継いだFNフレームの配信を再開する。時刻ｔ１０以降、通常動作状態に戻る。
【０１０３】
なお、図２１では、＃２系マスターカード１２１−２は、まだ復旧しておらず、再起動が開始されていない。
【０１０４】
配下カード１２２は、時刻ｔ１０で、再起動した＃１系マスターカード１２１−１からのFNフレームを受信し、時刻ｔ１１で受信同期状態を確立する。これにより、優先度判定部１２２３は、＃１系マスターカード１２１−１からのフレームナンバーを選択し、従属制御部１２２４は、選択した＃1系FNフレームのフレームナンバー・受信タイミングでローカルカウンタ１２２５をロードし、従属動作させる。自走選択部１２２６は、信号処理部１２２７の基準タイミング信号として選択した＃１系FNフレームのフレームナンバーを配信する。これにより、信号処理部１２２７の基準タイミング信号は、アップロード系FNフレームのフレームナンバーを引き継いだ＃1系FNフレームのフレームナンバーに切り替るため、時刻ｔ１１においても、フレームナンバーの連続性が維持される。また、時刻ｔ１１で、同期保護部１２２２からの入力異常検出情報の出力が停止するため、送信制御部１２３７は、アップロード系FNフレームの送信を停止する。
【０１０５】
第二の構成例においても、配下カード１２２のアップロード機能により、フレームナンバーの継続性が維持される。すなわち、全マスターカードでのフレームナンバーの生成及び配信が一時停止し、その後再開される場合に、配下カードで自走によりカウントされるフレームナンバーをマスターカードにアップロードすることで、マスターカードは、継続性が維持されたフレームナンバーからのカウントを再開することができる。
【０１０６】
第二の構成例においては、複数の配下カードすべてがアップロード機能を備える構成を例示したが、複数の配下カードのうちの一つがアップロード機能を備える構成であってもよい。これは、第一の構成におけるアップロード部１２３と複数の配下カードのうちの一つが同一カードとなる構成例となる。
【０１０７】
さらに、第二の構成例において、複数の配下カードのすべてがアップロード機能を備えず、複数の一部がアップロード機能を備える構成であってもよい。また、第二の構成例においても、マスターカード１２１は２つに限らず、必要に応じて２以上の冗長構成を取ることができる。また、冗長構成をとらず、マスターカードは一つであってもよい。
【０１０８】
本実施の形態における信号処理装置は、上述した基地局制御装置に限らず、フレームナンバーを生成し配信するマスターカードとそのフレームナンバーを受信して動作する配下カードとを備える構成の装置に適用可能である。
【０１０９】
以上説明した実施の形態の主な技術的特徴は以下の付記の通りである。
【０１１０】
（付記１）
基準周期単位に番号をカウントし、当該番号を含むタイミング信号を基準周期単位に配信するマスターカードと、
前記マスターカードから配信されるタイミング信号を受信し、前記タイミング信号の番号に従って所定の信号処理を実施する複数の配下カードと、
前記マスターカードから配信されるタイミング信号を受信し、受信されたタイミング信号の番号と同一の番号をカウントし、前記マスターカードからのタイミング信号の配信が停止すると、当該停止時の番号から連続する番号を自走によりカウントし、当該番号を含むタイミング信号を基準周期単位に前記マスターカードにアップロードするアップロード部とを備え、
前記マスターカードは、前記タイミング信号の配信停止後、前記アップロード部からアップロードされる番号と連続する番号のカウントを再開し、当該カウントされる番号を含む前記タイミング信号の配信を再開することを特徴とする信号処理装置。
【０１１１】
（付記２）
付記１において、
前記マスターカードによる番号のカウントの再開後、前記アップロード部は、前記マスターカードから配信されるタイミング信号を受信すると、前記マスターカードへのタイミング信号のアップロードを停止することを特徴とする信号処理装置。
【０１１２】
（付記３）
基準周期単位に番号をカウントし、当該番号を含むタイミング信号を基準周期単位に前記複数の配下カードに配信する複数のマスターカードと、
前記複数のマスターカードからそれぞれ配信される複数のタイミング信号を受信し、複数のタイミング信号のうちの一つを選択し、選択されたタイミング信号の番号に従って所定の信号処理を実施する複数の配下カードと、
前記複数のマスターカードからそれぞれ配信される複数のタイミング信号を受信し、複数のタイミング信号のうちの一つを選択し、選択されたタイミング信号の番号と同一の番号をカウントし、前記複数のマスターカードすべてからのタイミング信号の配信が停止すると、当該停止時の番号から連続する番号を自走によりカウントし、当該番号を含むタイミング信号を基準周期単位に前記マスターカードにアップロードするアップロード部とを備え、
前記複数のマスターカードすべてからのタイミング信号の配信停止後、最初にタイミング信号の配信を再開する第一のマスターカードは、前記アップロード部からアップロードされるタイミング信号の番号と連続する番号のカウントを再開し、当該カウントされる番号を含む前記タイミング信号の配信を再開することを特徴とする信号処理装置。
【０１１３】
（付記４）
付記３において、
前記第一のマスターカードによるタイミング信号の配信を再開後、前記アップロード部は、前記マスターカードから配信されるタイミング信号を受信すると、前記マスターカードへのタイミング信号のアップロードを停止することを特徴とする信号処理装置。
【０１１４】
（付記５）
基準周期単位に番号をカウントし、当該番号を含むタイミング信号を基準周期単位に前記複数の配下カードに配信するマスターカードと、
前記マスターカードから配信されるタイミング信号を受信し、前記タイミング信号の番号に従って所定の信号処理を実施し、さらに、前記マスターカードからのタイミング信号の配信が停止すると、当該停止時の番号から連続する番号を自走によりカウントする複数の配下カードと、
前記複数の配下カードのうちの選択された配下カードは、前記マスターカードからのタイミング信号の配信が停止すると、自走によりカウントされる番号を含むタイミング信号を基準周期単位に前記マスターカードにアップロードし、
前記マスターカードは、前記タイミング信号の配信停止後、前記選択された配下カードからアップロードされる番号と連続する番号のカウントを再開し、当該カウントされる番号を含む前記タイミング信号の配信を再開することを特徴とする信号処理装置。
【０１１５】
（付記６）
付記５において、
前記マスターカードによる番号のカウントの再開後、前記選択された配下カードは、前記マスターカードから配信されるタイミング信号を受信すると、前記マスターカードへのタイミング信号のアップロードを停止することを特徴とする信号処理装置。
【０１１６】
（付記７）
基準周期単位に番号をカウントし、当該番号を含むタイミング信号を基準周期単位に前記複数の配下カードに配信する複数のマスターカードと、
前記複数のマスターカードからそれぞれ配信される複数のタイミング信号を受信し、複数のタイミング信号のうちの一つを選択し、選択されたタイミング信号の番号に従って所定の信号処理を実施し、さらに、前記複数のマスターカードすべてからのタイミング信号の配信が停止すると、当該停止時の番号から連続する番号を自走によりカウントする複数の配下カードとを備え、
前記複数の配下カードのうちの第一の配下カードは、前記複数のマスターカードすべてからのタイミング信号の配信が停止すると、自走によりカウントされる番号を含むタイミング信号を基準周期単位に前記マスターカードにアップロードし、
前記複数のマスターカードすべてからのタイミング信号の配信停止後、最初にタイミング信号の配信を再開する第一のマスターカードは、前記第一の配下カードからアップロードされるタイミング信号の番号と連続する番号のカウントを再開し、当該カウントされる番号を含む前記タイミング信号の配信を再開することを特徴とする信号処理装置。
【０１１７】
（付記８）
付記７において、
前記第一のマスターカードによるタイミング信号の配信を再開後、前記第一の配下カードは、前記マスターカードから配信されるタイミング信号を受信すると、前記マスターカードへのタイミング信号のアップロードを停止することを特徴とする信号処理装置。
【０１１８】
（付記９）
付記７において、
前記複数の配下カードに優先度が設定され、前記第一の配下カードは優先度が最も高い配下カードであって、
複数のマスターカードすべてからのタイミング信号の配信が停止すると、前記第一の配下カードが最初に前記タイミング信号のアップロードを開始し、前記第一の配下カード以外の配下カードは、第一の配下カードからのタイミング信号の受信に基づいて、前記タイミング信号のアップロードの開始を中止することを特徴とする信号処理装置。
【符号の説明】
【０１１９】
１２１：マスターカード、１２２：配下カード、１２３：アップロード部、１２４：伝送ライン、１２５：伝送ライン、１２６：伝送ライン、１２１１：マスターカウンタ、１２１２：FNフレーム生成部、１２１３：受信チェック部、１２１４：同期保護部、１２１５：優先度判定部、１２１６：従属制御部、１２１７：送信制御部、１２１８：初期化タイマ、１２２１：受信チェック部、１２２２：同期保護部、１２２３：優先度判定部、１２２４：従属制御部、１２２５：ローカルカウンタ、１２２６：自走選択判定部、１２２７：信号処理部、１２３１：受信チェック部、１２３２：同期保護部、１２３３：優先度判定部、１２３４：従属制御部、１２３５：ローカルカウンタ、１２３６：FNフレーム生成部、１２３７：送信制御部、１２３８：送信待ち合わせタイマ、１２３９：アップロード系受信チェック部
【図１】
2011014983.tif 000003
【図２】
2011014983.tif 000004
【図３】
2011014983.tif 000005
【図４】
2011014983.tif 000006
【図５】
2011014983.tif 000007
【図６】
2011014983.tif 000008
【図７】
2011014983.tif 000009
【図８】
2011014983.tif 000010
【図９】
2011014983.tif 000011
【図１０】
2011014983.tif 000012
【図１１】
2011014983.tif 000013
【図１２】
2011014983.tif 000014
【図１３】
2011014983.tif 000015
【図１４】
2011014983.tif 000016
【図１５】
2011014983.tif 000017
【図１６】
2011014983.tif 000018
【図１７】
2011014983.tif 000019
【図１８】
2011014983.tif 000020
【図１９】
2011014983.tif 000021
【図２０】
2011014983.tif 000022
【図２１】
2011014983.tif 000023